(57)【要約】      （修正有）【課題】指に差し込み、また、掌に保持して使用する指圧具であって、指が疲れにくく使用時の安定性の高い指圧具を提供する。【解決手段】指圧具１は、所定肉厚の本体部１０と、本体部１０の先端に取り付けられた、切頭円錐形の指圧突起２０と、により構成される。本体部１０は、指圧突起２０側に向けて先細りの円錐形状である内面を有する胴部１１と、先端部１２により形成され、硬性素材（例えば硬質プラスチック）からなる。本体部は、射出により一体成型されている。この先端部１２内面は、胴部１１より角度がより大きな円錐形としているため、断面は中途で折れ曲がった構成となり先細りを強めた形状である。また、胴部１１の基端には顎部１３が形成されている。【選択図】図１
0003188327.tif 000002
【実用新案登録請求の範囲】
【請求項１】
内側が指を密に差し込み可能であり、指の差し込み後に当該指の先端が内側先端に当接しない内側先端部分形状として、略紡錘形、略切頭錐形、略球面形、または、略錐形に形成され、
外側の先端に指圧用の凸体を形成または取り付けたことを特徴とする指圧具。
【請求項２】
内側先端部分から基端までの内側が錐形として接続されていることを特徴とする請求項１に記載の指圧具。
【請求項３】
内側面にゴム層またはスポンジ層を設けたことを特徴とする請求項１または２に記載の指圧具。
【請求項４】
基端に鍔を設けたことを特徴とする請求項１、２または３に記載の指圧具。
【考案の詳細な説明】
【技術分野】
【０００１】
本考案は、指に差し込み、また、掌に保持して使用する指圧具に関し、特に、指が疲れにくく使用時の安定性の高い指圧具に関する。
【背景技術】
【０００２】
指に装着する指圧具として、実開平０５−００９５４８号、特開平２０１２−１３９２５４号の開示される技術が知られている。
【０００３】
これらはそれぞれ、指輪状、指サック状の形態であり、表面に指圧突起を備える。使用時には、指に装着して、突起部分を人体表面のツボに当てて押圧刺激する。これにより、小さな指圧突起を直接手や指で持つ労をなくし、細やかな指圧感覚も失わず、簡便かつ的確な指圧をおこなうことができる。
【０００４】
しかしながら、従来の技術では以下の問題点があった。上記の指圧具は、指圧突起が事実上指に直接的に密着固定された状態であるため、押圧負担が、直接指にかかり、指が疲労しやすく、指を痛める場合があるという問題点があった。
【先行技術文献】
【特許文献】
【０００５】
【特許文献１】実開平０５−００９５４８号
【特許文献２】特開平２０１２−１３９２５４号
【考案の概要】
【考案が解決しようとする課題】
【０００６】
本考案は上記に鑑みてなされたものであって、指に差し込み、また、掌に保持して使用する指圧具であって、指が疲れにくく使用時の安定性の高い指圧具を提供することを目的とする。
【課題を解決するための手段】
【０００７】
請求項１に記載の指圧具は、内側が指を密に差し込み可能であり、指の差し込み後に当該指の先端が内側先端に当接しない内側先端部分形状として、略紡錘形、略切頭錐形、略球面形、または、略錐形に形成され、外側の先端に指圧用の凸体を形成または取り付けたことを特徴とする。
【０００８】
すなわち、請求項１に係る発明は、指先が指圧具から浮き、指全体として凸体をツボに押圧できるため、指が疲れにくく使用時の安定性の高い指圧具を提供可能となる。
【０００９】
なお、錐形とは、円錐であっても角錐であってもよい。球面形とは、半球より小さな球面であることが好ましい。また、指圧具の長さは、指に装着できる長さであれば特に限定されないが、例えば第二関節まではまる長さ、すなわち、５ｃｍ〜７ｃｍとする例を挙げることができる。指圧具は、剛性の高いものであることが好ましいが、挿入時の面接触ないし保持性の観点から、ある程度形状が変化するプラスチック素材としてもよい。特にプラスチック素材は一体成型可能であるので製造効率に優れる。
【００１０】
請求項２に記載の指圧具は、請求項１に記載の指圧具において、内側先端部分から基端までの内側が錐形として接続されていることを特徴とする。
【００１１】
すなわち、請求項２に係る発明は、指全体の保持性が高まり、使用感が高まる。
【００１２】
なお、錐形とは、基端に向かって拡径する円筒をいう。この場合、内側先端部が錐形である場合、軸に沿った断面は中途で折れ曲がりや段が生じる。
【００１３】
請求項３に記載の指圧具は、請求項１または２に記載の指圧具において、内側面にゴム層またはスポンジ層を設けたことを特徴とする。
【００１４】
すなわち、請求項３に係る発明は、指全体の保持性が更に高まり、使用感に優れる。
【００１５】
なお、ゴム層またはスポンジ層は、内面にゴムシートまたはスポンジシートを全面または部分的に貼り付けることにより形成してもよい。
【００１６】
請求項４に記載の指圧具は、請求項１、２または３に記載の指圧具において、基端に鍔を設けたことを特徴とする。
【００１７】
すなわち、請求項４に係る発明は、基端の剛性が高まり、掌に包んで使用する際に押圧がしやすくなる。
【考案の効果】
【００１８】
本考案によれば、指に差し込み、また、掌に保持して使用する指圧具であって、指が疲れにくく使用時の安定性の高い指圧具を提供することができる。
【図面の簡単な説明】
【００１９】
【図１】本発明の指圧具の外観構成および軸に沿った断面を示した図である。
【図２】本発明の指圧具の使用態様を説明した図である。
【図３】本発明の指圧具の他の構成例を示した説明図である。
【考案を実施するための形態】
【００２０】
以下、本考案の実施の形態を図面を参照しながら詳細に説明する。
図１は、本発明の指圧具の外観構成および軸に沿った断面を表した図である。指圧具１は、図示したように、所定肉厚の本体部１０と、本体部１０の先端に取り付けられた、切頭円錐形の指圧突起２０と、により構成される。
【００２１】
本体部１０は、指圧突起２０側に向けて先細りの円錐形状である内面を有する胴部１１と、先端部１２により形成され、硬性素材（例えば硬質プラスチック）からなる。本体部は、射出により一体成型されている。図示したように、この先端部１２内面は、胴部１１より角度がより大きな円錐形としているため、断面は中途で折れ曲がった構成となり先細りを強めた形状である。また、胴部１１の基端には鍔部１３が形成されている。
【００２２】
指圧突起２０は中実であり、半球と切頭円錐との中間形状を有し、ツボに当接する部分は緩やかな突が形成されている。この形状とすることにより、角に由来する不適切な押圧とならず、かつ、少ない力でツボに効果的に圧力を加えることが可能となる。指圧突起２０の素材は硬質プラスチックでもよいし、ゲルマニウムといった金属素材としてもよい。
【００２３】
図２は、使用態様の一例を示した説明図である。図２（ａ）および（ｂ）では人差指を用いた例を示している。図２（ａ）に示したように、人差指は本体部１０の中途まで差し込むことができ、指圧具１は、概ね第二関節近近くまでの深さで止まる長さとしている。換言すれば、指圧具１は、指を中途までしか差し込むことができず、指先端と本体部１０の内側先端とは離間する太さないし構成としている。
【００２４】
このような差し込み態様であるので、従来は指先まで挿入するもしくは指先に装着する指圧具のように、指先に直に応力がかかり指先が疲れやすかったところ、本発明の指圧具１は、指全体で力をかけることができ、また、差し込み姿勢が安定するので、時間使用しても疲れにくく、好適な使用感を得られる。なお、図２（ｂ）に示したように、人指し指を折り曲げて指に嵌めても、また、図２（ｃ）のように掌に包んで保持して使用しても、鍔部１３により全体の強度が高まっているため、中折れするようなことがなく、様々な押圧が可能となる。
【００２５】
図３は、本発明の指圧具の他の構成例を示した説明図である。この例では、本体部１０は、先端部１２の内側が紡錘形であり、これに切頭円錐形の胴部１１が連続する構成となっている。また、本体部１０の先端外側にはネジが設けてあり、指圧突起２０は、ネジにより着脱可能に螺合されている。この構成では、指圧突起２０は交換可能であり、ツボに対する接触面積が小さなものから大きなものまで、種々取り付けることができ、ツボの場所に応じて適切な指圧感を得ることができる。
【００２６】
この他、本体部１０の先端部分は、角錐型、球面形等とすることができる。また、胴部１１の内側や先端部１２の内側には、ゴムシートやスポンジシートを取り付け、緩衝性および保持性をより高めることもできる。
【００２７】
使用に際しては、図２に示したように、（ａ）指を伸ばしたまま指圧具１を差し込み、そのまま指を曲げずにツボに突き当てるほか、（ｂ）カギ型に曲げて指を引っかけ、スナップ運動をするように押圧することもできる。この場合、掌底、小指と親指、または、小指外側面のいずれか、もしくはいずれをも支点としつつ、親指、中指で本体の胴部を支えながら押圧すれば、極めて良好な安定感を伴って押圧することもできる。
【００２８】
また、図２（ｃ）のように、底面の鍔部１３を掌に押し当てながら胴部１１を指で摘むようにして押圧するようにしてもよい。
【産業上の利用可能性】
【００２９】
なお、指圧具の本体部１０の外形は特に限定されず、プリントや立体的な装飾を施し需要者の趣味感を演出するような構成としてもよい。
【符号の説明】
【００３０】
１        指圧具
１０     本体部
１１     胴部
１２     先端部
１３     鍔部
２０     指圧突起
【図１】
0003188327.tif 000003
【図２】
0003188327.tif 000004
【図３】
0003188327.tif 000005